(57)【要約】【課題】ユーザが操作することなく、ユーザ不在時に受信したデータの出力を可能とする。【解決手段】録画装置１１は、ＴＶ番組を受信し、受信したＴＶ番組を記録することができる。録画装置１１は、ＴＶ番組を受信するチューナ部２２と、ＴＶ番組を出力するＡＶ出力部２３と、ＴＶ番組を記録する記録部２４と、ユーザが携帯する携帯電話機と近距離無線通信を行う無線通信部２５とを備える。通信状況検知部３３にて検知された近距離無線通信の通信状況が、通信状態から非通信状態に遷移したと録画再生判断部３４にて判断されると、記録制御部３２の制御により、チューナ部２２が受信したＴＶ番組が記録部２４に記録される。【選択図】図１
2008124736.tif 000002
【特許請求の範囲】
【請求項１】
データを受信し、受信したデータを記録可能なデータ記録装置であって、
前記データを受信する受信部と、
前記データを記録する記録部と、
前記データを出力する出力部と、
外部の通信装置と近距離無線通信を行う無線通信部と、
前記近距離無線通信の通信状況を検知する通信状況検知手段と、
前記通信状況が通信状態から非通信状態に遷移した場合に、前記受信部が受信したデータを前記記録部に記録するように制御する記録制御手段とを備えることを特徴とするデータ記録装置。
【請求項２】
前記通信状況が通信状態である場合、前記受信部が受信したデータを前記出力部に出力するように制御する出力制御手段をさらに備えることを特徴とする請求項１に記載のデータ記録装置。
【請求項３】
前記通信状況が非通信状態から通信状態に再び遷移した場合に、前記記録部に記録したデータを出力するように前記出力部を制御する出力制御手段をさらに備えることを特徴とする請求項１に記載のデータ記録装置。
【請求項４】
前記記録制御手段は、前記通信状況が通信良好状態から通信悪化状態を経て非通信状態に遷移した場合に、前記受信部が受信したデータを前記記録部に記録するように制御することを特徴とする請求項１に記載のデータ記録装置。
【請求項５】
テレビジョン信号を受信し、受信したテレビジョン信号、または該テレビジョン信号を処理した映像音声データを記録可能な録画装置であることを特徴とする請求項１ないし４の何れか１項に記載のデータ記録装置。
【請求項６】
請求項１ないし５の何れか１項に記載のデータ記録装置を動作させるためのデータ記録装置制御プログラムであって、コンピュータを上記の各手段として機能させるためのデータ記録装置制御プログラム。
【請求項７】
請求項６に記載のデータ記録装置制御プログラムが記録されたコンピュータ読取り可能な記録媒体。
【請求項８】
データを受信し、受信したデータを記録可能なデータ記録装置であって、前記データを受信する受信部と、前記データを出力する出力部と、前記データを記録する記録部と、外部の通信装置と近距離無線通信を行う無線通信部とを備えるデータ記録装置の制御方法であって、
前記近距離無線通信の通信状況を検知する通信状況検知ステップと、
前記通信状況が通信状態から非通信状態に遷移した場合に、前記受信部が受信したデータを前記記録部に記録するように制御する記録制御ステップとを含むことを特徴とするデータ記録装置の制御方法。
【発明の詳細な説明】
【技術分野】
【０００１】
本発明は、データを受信し、受信したデータを記録可能なデータ記録装置に関するものである。特に、本発明は、放送されているテレビション（ＴＶ）番組を受信し、受信したＴＶ番組を録画可能な録画装置に関するものである。
【背景技術】
【０００２】
近時の録画装置では、ハードディスクやＤＶＤ（Digital Versatile Disk）などのランダムアクセス可能な記録媒体を利用して、受信したＴＶ番組を録画しながら、録画したＴＶ番組を再生する、いわゆる「追っかけ再生」を行うことが可能となっている（例えば、特許文献１参照）。このような録画装置を利用すれば、例えばＴＶ番組の視聴中に急な用事（例えば電話、訪問者、便意など）が発生して、視聴を短時間中断しなければならない場合でも、上記用事が終了した後に、中断した時点からの視聴を直ちに再開することができる。
【特許文献１】特開平６−２４５１５７号公報（１９９４年９月２日公開）
【特許文献２】特開２００５−２２３８０１号公報（２００５年８月１８日公開）
【発明の開示】
【発明が解決しようとする課題】
【０００３】
上記特許文献１では、視聴を中断したり、再開したりする場合、上記録画装置を遠隔操作するリモートコントローラ（以下、「リモコン」と略称する。）などの操作手段を用いて、ユーザが上記録画装置を操作する必要がある。このように、視聴を中断したり再開したりするたびにユーザが上記録画装置を操作することは、ユーザにとって煩わしい。また、ユーザがつい操作し忘れて、ユーザ不在時の視聴ができなくなることがあった。
【０００４】
本発明は、上記の問題点に鑑みてなされたものであり、その目的は、ユーザが操作することなく、ユーザ不在時に受信したデータの出力を可能とするデータ記録装置などを提供することにある。
【課題を解決するための手段】
【０００５】
本発明に係るデータ記録装置は、データを受信し、受信したデータを記録可能なデータ記録装置であって、上記課題を解決するために、前記データを受信する受信部と、前記データを出力する出力部と、前記データを記録する記録部と、外部の通信装置と近距離無線通信を行う無線通信部と、前記近距離無線通信の通信状況を検知する通信状況検知手段と、前記通信状況が通信状態から非通信状態に遷移した場合に、前記受信部が受信したデータを前記記録部に記録するように制御する記録制御手段とを備えることを特徴としている。
【０００６】
また、本発明に係るデータ記録装置の制御方法は、データを受信し、受信したデータを記録可能なデータ記録装置であって、前記データを受信する受信部と、前記データを出力する出力部と、前記データを記録する記録部と、外部の通信装置と近距離無線通信を行う無線通信部とを備えるデータ記録装置の制御方法であって、上記課題を解決するために、前記近距離無線通信の通信状況を検知する通信状況検知ステップと、前記通信状況が通信状態から非通信状態に遷移した場合に、前記受信部が受信したデータを前記記録部に記録するように制御する記録制御ステップとを含むことを特徴としている。
【０００７】
上記の構成および方法によると、外部の通信装置との近距離無線通信の通信状況が、通信状態から非通信状態に遷移した場合に、受信部が受信したデータを記録部に記録するように制御している。ここで、外部の通信装置をユーザが携帯しており、上記ユーザがデータ記録装置から離れたとすると、上記通信状況が通信状態から非通信状態に遷移することになり、受信部が受信したデータが記録部に記録されることになる。
【０００８】
したがって、ユーザがデータ記録装置から離れて不在となったときに受信したデータは、ユーザが何らかの操作を行うことなく、記録部に記録されているので、後で記録部から読み出して出力することが可能となる。
【０００９】
本発明に係るデータ記録装置では、前記通信状況が通信状態である場合、前記受信部が受信したデータを前記出力部に出力するように制御する出力制御手段をさらに備えることが好ましい。この場合、ユーザがデータ記録装置の近くに位置することになるので、出力部が出力したデータ、すなわち受信部が受信したデータを直ちに参照することができる。
【００１０】
本発明に係るデータ記録装置では、前記通信状況が非通信状態から通信状態に再び遷移した場合に、前記記録部に記録したデータを出力するように前記出力部を制御する出力制御手段をさらに備えることが好ましい。この場合、ユーザがデータ記録装置の近くに戻ってくると、記録されたデータが出力部から出力されるので、ユーザが不在時に受信したデータを直ちに参照することができる。
【００１１】
また、受信部が受信したデータが記録されつつ、記録部に記録されたデータが出力されるので、ユーザが戻ってきた時点以降に受信部が受信したデータを確実に参照することができる。
【００１２】
ところで、近距離無線通信の通信状況が通信良好な状態から突然非通信状態になる場合は、外部の通信装置の動作、または該装置の近距離無線通信機能が停止した可能性が高い。この場合、ユーザが上記外部の通信装置を携帯していたとしても、もはやユーザの位置を把握することができない。
【００１３】
そこで、本発明に係るデータ記録装置では、前記記録制御手段は、前記通信状況が通信良好状態から通信悪化状態を経て非通信状態に遷移した場合に、前記受信部が受信したデータを前記記録部に記録するように制御することが好ましい。この場合、ユーザが離れていき、不在となることを確実に判断することができる。
【００１４】
本発明に係るデータ記録装置は、テレビジョン信号を受信し、受信したテレビジョン信号、または該テレビジョン信号を処理した映像音声データを記録可能な録画装置であることが好ましい。これにより、ユーザ不在時に放送されたＴＶ番組を、ユーザが何ら操作を行うことなく記録部に記録されているので、後で記録部から再生して視聴することができる。
【００１５】
なお、上記データ記録装置の各手段を、データ記録装置制御プログラムによりコンピュータ上で実行させることができる。さらに、上記データ記録装置制御プログラムをコンピュータ読取り可能な記録媒体に記憶させることにより、任意のコンピュータ上で上記データ記録装置制御プログラムを実行させることができる。
【発明の効果】
【００１６】
以上のように、本発明に係るデータ記録装置は、外部の通信装置との近距離無線通信の通信状況が、通信状態から非通信状態に遷移した場合に、受信部が受信したデータが記録部に記録されるので、上記外部の通信装置を携帯するユーザがデータ記録装置から離れて不在となったときに受信したデータは、ユーザが何らかの操作を行うことなく、記録部に記録され、後で記録部から読み出して出力することが可能となる。
【発明を実施するための最良の形態】
【００１７】
本発明の一実施形態について図１〜図４を参照して説明する。図２は、本実施形態の視聴システムの概要を示している。図示のように、視聴システム１０は、録画装置（データ記録装置）１１、表示装置１２、および携帯電話機（外部の通信装置）１３を備える構成である。
【００１８】
録画装置１１は、ＴＶ番組のＴＶ信号を外部から受信し、受信したＴＶ信号をランダムアクセス可能な記録媒体に記録するものである。また、録画装置１１は、受信または記録したＴＶ信号を表示装置１２に出力する。
【００１９】
表示装置１２は、録画装置１１からのＴＶ信号に基づいて、ＴＶ映像を表示し、ＴＶ音声を出力するものである。これにより、ユーザＵはＴＶ番組を視聴することができる。なお、表示装置１２としては、現在市販されている一般的なＴＶ受像機を利用することができるので、本願では表示装置１２の詳細な説明は省略する。また、録画装置１１および表示装置１２は一体の構成であってもよい。
【００２０】
携帯電話機１３は、無線を利用した携帯可能な電話機である。なお、携帯電話機１３は、後述の近距離無線通信機能を有する以外は、現在市販されている一般的な携帯電話機と同様の構成であるので、その詳細な説明を省略する。
【００２１】
本実施形態では、録画装置１１および携帯電話機１３は、近距離無線通信機能を有している。近距離無線通信の例としては、ブルートゥース（Bluetooth）（登録商標）、ジグビー（ZigBee）、ＵＷＢ（Ultra WideBand）、無線ＬＡＮ（ＩＥＥＥ８０２．１１）などが挙げられる。また、データ伝送媒体の例としては、音波、光、電波などが挙げられる。しかしながら、赤外線などの光を利用する場合、照射方向を送信先の受光部に合わせる必要があるので、データ伝送媒体としては電波が望ましい。
【００２２】
一般に、部屋でＴＶ番組を視聴するユーザＵは、表示装置１２から２〜４ｍ離れた位置でＴＶ番組を視聴する。また、録画装置１１は表示装置１２付近に配置される。したがって、本実施形態では、録画装置１１と携帯電話機１３との近距離無線通信は、通信可能範囲が約５ｍであることが望ましい。
【００２３】
本実施形態では、ユーザＵがＴＶ番組を視聴している間、録画装置１１はユーザＵの携帯電話機１３と近距離無線通信を行っている。そして、急な用事のため、ユーザＵが表示装置１２および録画装置１１から離れることにより、録画装置１１と携帯電話機１３との近距離無線通信が不能になると、録画装置１１は、表示装置１２へのＴＶ信号の出力を中止し、受信したＴＶ信号の記録媒体への記録を開始する。
【００２４】
その後、上記用事が終了して、ユーザＵが表示装置１２および録画装置１１に近付くことにより、録画装置１１と携帯電話機１３との近距離無線通信が再び可能になると、録画装置１１は、受信したＴＶ信号を記録媒体へ記録すると共に、記録されたＴＶ信号を再生して、表示装置１２に出力する「追っかけ再生」を行う。
【００２５】
したがって、本実施形態の視聴システム１０では、ユーザＵが録画装置１１から離れて不在となったときに受信したＴＶ番組は、ユーザＵが何らかの操作を行うことなく、記録部２４に記録されているので、後で記録部２４から再生することにより、ユーザが視聴することができる。
【００２６】
次に、録画装置１１の詳細について、図１、図３、および図４を参照して説明する。図３は、録画装置１１の概略構成を示している。図示のように、録画装置１１は、制御部２０、チューナ部（受信部）２２、ＡＶ出力部（出力部）２３、記録部２４、無線通信部２５、操作部２６、および無線通信用アンテナ２７を備える構成である。
【００２７】
制御部２０は、録画装置１１内の各種構成を統括的に制御するものである。制御部２０の機能は、例えばＲＡＭ（random access memory）やフラッシュメモリなどの記憶装置に記憶されたプログラムをＣＰＵ（Central Processing Unit）が実行することによって実現される。なお、制御部２０の詳細は後述する。
【００２８】
チューナ部２２は、外部からの所望のチャンネルのＴＶ信号を選択して受信するものである。チューナ部２２は、受信したＴＶ信号を制御部２０に送信する。なお、ＴＶ信号は無線で受信してもよいし、有線で受信してもよい。また、ＴＶ信号は、アナログ信号でもよいし、デジタル信号でもよい。
【００２９】
ＡＶ出力部２３は、制御部２０から受信したＴＶ信号を表示装置１２などの外部装置に出力するものである。なお、ＡＶ出力部２３は、ＴＶ信号を外部装置に有線で出力してもよいし、無線で出力してもよい。また、ＡＶ出力部２３は、出力形式に対応して、ＴＶ信号を変換してもよい。
【００３０】
記録部２４は、制御部２０からのＴＶ信号などの情報を記録媒体に記録すると共に、記録媒体に記録された情報を再生して制御部２０に送信するものである。本実施形態では、上述の追っかけ再生を行うため、ランダムアクセス可能な記録媒体が利用される。このような記録媒体の例としては、ハードディスク、ＤＶＤ、フラッシュメモリなどが挙げられる。
【００３１】
無線通信部２５は、制御部２０から受信したデータを近距離無線送信に適した形式に変換し、変換した無線信号を、無線通信用アンテナ２７を介して外部に送信するとともに、外部から無線通信用アンテナ２７を介して受信した無線信号を元の形式に変換し、変換したデータを制御部２０に送信するものである。具体的には、無線通信部２５では、データの変復調処理、ＲＦ（Radio Frequency）処理などが行われる。
【００３２】
操作部２６は、録画装置１１の表面に設けられた操作ボタンなどの入力デバイスをユーザＵが操作することにより、操作データを作成して制御部２０に送信するものである。入力デバイスとしては、ボタンスイッチの他にタッチパネルなどが挙げられる。
【００３３】
なお、操作部２６は、リモコンとして録画装置１１の外部に設けることもできる。この場合、録画装置１１には、リモコンからの赤外線信号を受光し、受光した赤外線信号を電気信号に変換して制御部２０に送信する受光部を設ければよい。また、携帯電話機１３が赤外線リモコン機能を有する場合、上記リモコンの代わりに携帯電話機１３を利用することができる。また、携帯電話機１３が近距離無線通信機能を介して録画装置１１を遠隔操作してもよい。この場合、上記受光部を設ける必要がない。
【００３４】
なお、録画装置１１は、受信したＴＶ信号に対し、映像処理および音声処理を施して、映像信号および音声信号を生成してもよい。この場合、ＡＶ出力部２３は、映像信号および音声信号を別々の通信経路で外部装置に送信することになる。
【００３５】
次に、録画装置１１における制御部２０の詳細について図１に基づいて説明する。図１は、制御部２０の概略構成を示している。図示のように、制御部２０は、出力制御部（出力制御手段）３１、記録制御部（記録制御手段）３２、通信状況検知部（通信状況検知手段）３３、および録画再生判断部（記録制御手段）３４を備える構成である。
【００３６】
通信状況検知部３３は、無線通信部２５と携帯電話機１３との通信状況を検知するものである。具体的には、通信状況検知部３３は、無線通信部２５に携帯電話機１３との近距離無線通信を定期的に行わせることにより、無線通信部２５と携帯電話機１３とが通信可能状態にあるか通信不能状態にあるかを検知するものである。通信状況検知部３３は、検知結果を録画再生判断部３４に通知する。
【００３７】
録画再生判断部３４は、通信状況検知部３３からの検知結果に基づいて、チューナ部２２からのＴＶ信号を、そのまま出力するか、録画するか、或いは、追っかけ再生するかを判断するものである。録画再生判断部３４は、判断結果を出力制御部３１および記録制御部３２に通知する。
【００３８】
出力制御部３１は、ＴＶ信号を、ＡＶ出力部２３を介して外部装置に出力するか否かを制御するものである。具体的には、出力制御部３１は、録画再生判断部３４からの判断結果に基づき、チューナ部２２から受信したＴＶ信号をＡＶ出力部２３に送信するか、記録部２４から記録制御部３２を介して受信したＴＶ信号をＡＶ出力部２３に送信するか、或いは、ＴＶ信号のＡＶ出力部２３への送信を中止するものである。
【００３９】
記録制御部３２は、記録部２４に対して、情報の記録および再生を指示するものである。具体的には、記録制御部３２は、録画再生判断部３４からの判断結果に基づき、チューナ部２２から受信したＴＶ信号を記録媒体に記録する、かつ／または、記録媒体に記録したＴＶ信号を再生することを記録部２４に指示する。記録制御部３２は、再生された記録制御部３２を出力制御部３１に送信する。
【００４０】
上記構成の録画装置１１における処理動作について図４を参照して説明する。図４は、録画装置１１の制御部２０が行う処理動作を示している。
【００４１】
図４に示されるように、まず、制御部２０は、ユーザＵがＴＶ番組を視聴しているか、すなわち、チューナ部２２が受信したＴＶ信号をＡＶ出力部２３が出力しているかを判断する（ステップＳ１１（以下「Ｓ１１」と略称することがある。他のステップについても同様である。））。該当する場合にはステップＳ１２に進み、該当しない場合には処理動作を終了する。
【００４２】
ステップＳ１１に該当しない場合の一例としては、操作部２６の操作により、ゲーム機やデジタルカメラなどの外部装置から外部接続端子（図示せず）を介して受信したＡＶ信号をＡＶ出力部２３が出力する場合が挙げられる。その他の例としては、記録部２４に記録されたＴＶ番組であって、過去に放送されたＴＶ番組を再生する場合などが挙げられる。これらの場合は、上記外部装置または録画装置１１の動作を一時停止すればよく、追っかけ再生を行う必要がないので、処理動作を終了している。
【００４３】
ステップＳ１２において、通信状況検知部３３は、無線通信部２５と携帯電話機１３との近距離無線通信が可能であるか否かを判断する。上記近距離無線通信が可能である場合（Ｓ１２にてＹＥＳ）、ステップＳ１１に戻って上記処理動作を繰り返す。
【００４４】
一方、上記近距離無線通信が不能である場合（Ｓ１２にてＮＯ）、上記近距離無線通信が通信悪化後に通信不能となったかを通信状況検知部３３が判断する（Ｓ１３）。該当する場合には、ユーザＵがＴＶ番組の視聴を中断したと判断して、ステップＳ１４に進む。一方、該当しない場合には処理動作を終了する。
【００４５】
ステップＳ１３に該当しない場合の一例としては、ユーザＵが携帯電話機１３を所持していないなどにより、上記近距離無線通信が最初から不能である場合が挙げられる。また、その他の例としては、当初は上記近距離無線通信が可能であったが、ユーザＵが携帯電話機１３の電源をオフにしたり、近距離無線通信機能を使用不能にしたりすることにより、上記近距離無線通信が突然不能になった場合が挙げられる。これらの場合、録画装置１１は、もはやユーザＵの位置を認識できないので、処理動作を終了している。
【００４６】
ステップＳ１４において、録画再生判断部３４は、チューナ部２２が受信しているＴＶ番組が、録画不要の番組であるかを判断する。該当する場合には処理動作を終了し、該当しない場合にはステップＳ１６に進む。ステップＳ１４の判断処理は、例えば、ユーザＵが録画装置１１に予め設定した録画不要の番組に該当するか否かで判断してもよいし、ユーザＵの視聴履歴を記憶しておき、該視聴履歴からユーザの嗜好する番組を判断し、この番組に該当しない場合に録画不要の番組と判断してもよい。
【００４７】
ステップＳ１６において、録画再生判断部３４が録画すべきと判断して、記録制御部３２は、チューナ部２２が受信しているＴＶ信号の記録、すなわちＴＶ番組の録画を開始する。なお、ＴＶ番組がＣＭ（コマーシャル）中であれば、ＣＭ終了後から録画を開始してもよい。
【００４８】
また、出力制御部３１は、ＡＶ出力部２３を介して表示装置１２にＴＶ信号を出力することを中止する（Ｓ１７）。これにより、消費電力を節約することができる。
【００４９】
次に、録画再生判断部３４は、録画中のＴＶ番組が終了したかを判断する（Ｓ１８）。この判断処理を行うには、例えば、ＴＶ放送と同時に放送されるＥＰＧ（電子番組表）に含まれるＴＶ番組の終了時刻を利用すればよい。上記ＴＶ番組が終了した場合、次のＴＶ番組をユーザＵが視聴するとは限らないので、記録制御部３２が録画の終了処理を行い（Ｓ２４）、その後、処理動作を終了する。
【００５０】
一方、上記ＴＶ番組が終了していない場合、通信状況検知部３３は、無線通信部２５と携帯電話機１３との近距離無線通信が可能であるか否かを判断する（Ｓ１９）。上記近距離無線通信が不能である場合（Ｓ１９にてＮＯ）、ステップＳ１８に戻って上記処理動作を繰り返す。すなわち、ＴＶ番組が終了するか、或いは上記近距離無線通信が可能となるまで待機することになる。
【００５１】
一方、上記近距離無線通信が可能である場合（Ｓ１９にてＹＥＳ）、録画再生判断部３４は、ユーザＵがＴＶ番組の視聴を再開できると判断して、記録制御部３２は、録画処理を開始した時点からの追っかけ再生を開始する（Ｓ２０）。また、出力制御部３１は、記録部２４から記録制御部３２を介して受信したＴＶ信号を、ＡＶ出力部２３を介して表示装置１２に出力する（Ｓ２１）。これにより、ユーザＵは、録画処理を開始した時点からのＴＶ番組の視聴を再開できる。
【００５２】
次に、録画再生判断部３４は、ユーザＵが操作部２６を介してチャンネル変更や入力切替を指示することにより、追っかけ再生中のＴＶ番組の視聴を終了するか、或いは録画中のＴＶ番組が終了するまで待機する（Ｓ２２・Ｓ２３）。そして、追っかけ再生中のＴＶ番組の視聴を終了するか、或いは録画中のＴＶ番組が終了すると、記録制御部３２が録画の終了処理を行い（Ｓ２４）、その後、処理動作を終了する。
【００５３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００５４】
例えば、上記実施形態では、録画装置１１が近距離無線通信を行う相手先として携帯電話機１３を利用しているが、例えばＰＤＡ、ＩＣタグ、車のエントリーキーなどのように、ユーザＵが携帯でき、かつ録画装置１１と近距離無線通信で通信可能な任意の通信装置を利用することができる。
【００５５】
また、上記実施形態では、ＴＶ番組を録画する録画装置１１に本発明を適用しているが、例えば、ラジオ番組を録音する録音装置にも本発明を適用することができる。このように、本発明は、データを受信し、受信したデータを記録可能な任意のデータ記録装置に適用することができる。
【００５６】
ところで、記録部２４は、記録媒体として半導体メモリとディスク記憶デバイスとを備えている場合ある。一般に、半導体メモリは、ディスク記憶デバイスに比べて記憶容量が小さいがアクセス速度が速い。そこで、ステップＳ１６において、最初の数分間は、半導体メモリに記録することが望ましい。これにより、ユーザＵが表示装置１２および録画装置１１から離れてから数十秒で戻ってきたときに、半導体メモリを用いて追っかけ再生を行うことができるので、ディスク記憶デバイスにおける機械的な動作を回避でき、ディスク記憶デバイスの耐用期間を延ばすことができる。
【００５７】
最後に、録画装置１１の各ブロック、特に制御部２０は、ハードウェアロジックによって構成してもよいし、次のようにＣＰＵを用いてソフトウェアによって実現してもよい。
【００５８】
すなわち、録画装置１１は、各機能を実現する制御プログラムの命令を実行するＣＰＵ、上記プログラムを格納したＲＯＭ（read only memory）、上記プログラムを展開するＲＡＭ、上記プログラムおよび各種データを格納するメモリ等の記憶装置（記録媒体）などを備えている。そして、本発明の目的は、上述した機能を実現するソフトウェアである録画装置１１の制御プログラムのプログラムコード（実行形式プログラム、中間コードプログラム、ソースプログラム）をコンピュータで読み取り可能に記録した記録媒体を、上記録画装置１１に供給し、そのコンピュータ（またはＣＰＵやＭＰＵ）が記録媒体に記録されているプログラムコードを読み出し実行することによっても、達成可能である。
【００５９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６０】
また、録画装置１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６１】
以上のように、本発明は、ユーザが離れたときに、自動的に受信したデータを記録するので、録画装置だけでなく、録音装置にも適用でき、さらに、任意のデータ記録装置にも適用できる。
【図面の簡単な説明】
【００６２】
【図１】本発明の一実施形態である視聴システムにおける録画装置の制御部の概略構成を示すブロック図である。
【図２】上記視聴システムの概要図である。
【図３】上記録画装置の概略構成を示すブロック図である。
【図４】上記録画装置の制御部が行う処理動作を示すフローチャートである。
【符号の説明】
【００６３】
１１    録画装置（データ記録装置）
１２    表示装置
１３    携帯電話機（外部の通信装置）
２２    チューナ部（受信部）
２３    ＡＶ出力部（出力部）
２４    記録部
２５    無線通信部
３１    出力制御部（出力制御手段）
３２    記録制御部（記録制御手段）
３３    通信状況検知部（通信状況検知手段）
３４    録画再生判断部（記録制御手段）
【図１】
2008124736.tif 000003
【図２】
2008124736.tif 000004
【図３】
2008124736.tif 000005
【図４】
2008124736.tif 000006